(57)【要約】【課題】視聴者にとって見易い映像を提供する。【解決手段】映像信号と該映像信号に時間差を設けた時間差信号とに基づいて、映像信号または時間差信号を構成するフレームのうちシーンが切り替わる直前のフレームと直後のフレームのうち少なくとも一つを検出するシーン切替フレーム検出部１と、シーン切替フレーム検出部１が検出したフレームの少なくとも一つの画像信号に対して、フレーム間に重畳したフレーム間ノイズについてのノイズ低減を弱めるノイズ低減処理部２と、を備える。【選択図】図３
2015019120.tif 000002
【特許請求の範囲】
【請求項１】
映像信号と該映像信号に時間差を設けた時間差信号とに基づいて、前記映像信号または前記時間差信号を構成するフレームのうちシーンが切り替わる直前のフレームと直後のフレームのうち少なくとも一つを検出するシーン切替フレーム検出部と、
前記シーン切替フレーム検出部が検出したフレームの少なくとも一つの画像信号に対して、フレーム間に重畳したフレーム間ノイズについてのノイズ低減を弱めるノイズ低減処理部と、
を備えることを特徴とするノイズ低減装置。
【請求項２】
前記シーン切替フレーム検出部は、前記映像信号と前記時間差信号とに基づいて、前記映像信号または前記時間差信号を構成するフレームのうちシーンが切り替わる直前または直後のフレームを検出し、
前記ノイズ低減処理部は、前記シーン切替フレーム検出部が検出したシーンが切り替わる直前または直後のフレームの画像信号に対して、フレーム間ノイズについてのノイズ低減を弱めることを特徴とする請求項１の記載のノイズ低減装置。
【請求項３】
前記時間差信号は、前記映像信号を遅延させた第１の遅延信号であり、
前記シーン切替フレーム検出部は、前記映像信号と前記第１の遅延信号とに基づいて、前記映像信号を構成するフレームのうちシーンが切り替わった直後のシーン切替直後フレームを検出し、
前記ノイズ低減処理部は、前記シーン切替フレーム検出部が検出したシーン切替直後フレームの画像信号に対して、フレーム間ノイズについてのノイズ低減を弱めることを特徴とする請求項２の記載のノイズ低減装置。
【請求項４】
前記シーン切替フレーム検出部は、
前記映像信号を前記予め決められた第１のフレーム数だけ遅延させることにより前記第１の遅延信号を生成する遅延部と、
前記映像信号と前記遅延部が生成した時間差信号とに基づいて、前記映像信号を構成するフレームから前記シーン切替直後フレームを検出する検出部と、
を備えることを特徴とする請求項３に記載のノイズ低減装置。
【請求項５】
前記遅延部は、前記映像信号を、前記第１のフレーム数より多い第２のフレーム数だけ遅延させた第２の遅延信号を生成し、
前記ノイズ低減処理部は、前記検出部が検出したシーン切替直後フレームに対応するフレームにおける前記第２の遅延信号に対して、フレーム間ノイズについてのノイズ低減を弱めることを特徴とする請求項４に記載のノイズ低減装置。
【請求項６】
前記ノイズ低減処理部は、前記検出部が検出したシーン切替直後フレーム以外のフレームに対応するフレームにおける前記第２の遅延信号に対して、前記第１の遅延信号と前記第２の遅延信号とに基づいて、前記第２の遅延信号に対して前記フレーム間ノイズを低減することを特徴とする請求項５に記載のノイズ低減装置。
【請求項７】
前記遅延部は、前記映像信号を、前記第２のフレーム数より多い第３のフレーム数だけ遅延させて第３の遅延信号を生成し、
前記ノイズ低減処理部は、前記検出部が検出したシーン切替直後フレーム以外のフレームに対応するフレームにおける前記第２の遅延信号に対して、前記第１の遅延信号と前記第２の遅延信号と前記第３の遅延信号とに基づいて、前記フレーム間ノイズを低減することを特徴とする請求項５または請求項６に記載のノイズ低減装置。
【請求項８】
前記検出部は、
前記映像信号と前記時間差信号とに基づいて、フレーム毎に前記映像信号と前記時間差信号との間の画素値の差分であるフレーム間差分値を算出するフレーム間差分算出部と、
前記フレーム間差分算出部がフレーム毎に算出したフレーム間差分値に基づいて、フレーム毎にシーンが切り替わったか否か判定する判定部と、
を備え、
前記ノイズ低減処理部は、前記判定部がシーンが切り替わったと判定した場合、該判定された対象フレームに対して前記フレーム間ノイズについてのノイズ低減を弱めることを特徴とする請求項４から請求項７のいずれか一項に記載のノイズ低減装置。
【請求項９】
前記判定部がシーンチェンジしたと判定した場合、該判定された対象フレームと該対象フレームの直前のフレームにおいてシーンチェンジを検出した旨を示すシーンチェンジ検出信号を生成する信号生成部を備え、
前記ノイズ低減処理部は、前記映像信号を構成するフレームのうち、前記シーンチェンジ検出信号がシーンチェンジを検出した旨を示すフレームに対して、前記フレーム間ノイズについてのノイズ低減を弱めることを特徴とする請求項８に記載のノイズ低減装置。
【請求項１０】
前記時間差信号は、前記映像信号を早めた早期信号であり、
前記シーン切替フレーム検出部は、前記映像信号と前記早期信号とに基づいて、前記映像信号または前記早期信号を構成するフレームのうちシーンが切り替わった直前または直後のフレームを検出することを特徴とする請求項１または請求項２に記載のノイズ低減装置。
【請求項１１】
請求項１に記載のノイズ低減装置を備える表示装置。
【請求項１２】
ノイズ低減装置が実行するノイズ低減方法であって、
映像信号と該映像信号に時間差を設けた時間差信号とに基づいて、前記映像信号または前記時間差信号を構成するフレームのうちシーンが切り替わる直前のフレームと直後のフレームのうち少なくとも一つを検出するシーン切替フレーム検出手順と、
前記シーン切替フレーム検出手順により検出されたフレームの少なくとも一つの画像信号に対して、フレーム間に重畳したフレーム間ノイズについてのノイズ低減を弱めるノイズ低減処理手順と、
を有することを特徴とするノイズ低減方法。
【請求項１３】
コンピュータに、
映像信号と該映像信号に時間差を設けた時間差信号とに基づいて、前記映像信号または前記時間差信号を構成するフレームのうちシーンが切り替わる直前のフレームと直後のフレームのうち少なくとも一つを検出するシーン切替フレーム検出ステップと、
前記シーン切替フレーム検出ステップにより検出されたフレームの少なくとも一つの画像信号に対して、フレーム間に重畳したフレーム間ノイズについてのノイズ低減を弱めるノイズ低減処理ステップと、
を実行させるためのノイズ低減プログラム。
【発明の詳細な説明】
【技術分野】
【０００１】
本発明は、ノイズ低減装置、表示装置、ノイズ低減方法及びノイズ低減プログラムに関する。
【背景技術】
【０００２】
従来、ノイズ低減装置が映像のシーンの切り替え（以下、シーンチェンジとも称す）を検出した場合、映像に対するノイズ低減効果を軽減させることが行われている。
例えば、特許文献１では、入力映像信号を１フレーム分遅延させるフレームメモリと、制御可能な係数Ｋ（０≦Ｋ≦１）を発生する係数発生器と、入力映像信号を１−Ｋ倍する乗算器と、フレームメモリから出力される１フレーム分遅延した映像信号をＫ倍する乗算器と、乗算器の出力と乗算器の出力とを加算する加算器とを有する巡回型ノイズ低減装置が記載されている。
【０００３】
そして、その巡回型ノイズ低減装置は、加算器からの加算信号をフレームメモリに記憶すると共に出力映像信号とし、入力映像信号のシーンチェンジを例えば音声モードの変化で検出する検出回路を設け、該回路がシーンチェンジを検出した時、係数Ｋを１フレーム期間だけ０に設定する。これにより、当該巡回型ノイズ低減装置は、映像がシーンチェンジした場合でも、残像を発生することなくノイズを低減できることが示されている。
【先行技術文献】
【特許文献】
【０００４】
【特許文献１】特開２０００−２２４４４４号公報
【発明の概要】
【発明が解決しようとする課題】
【０００５】
特許文献１の巡回型ノイズ低減装置は、直前のフレームにおける処理後の信号に対して係数Ｋを乗じた信号が出力信号に反映される。このため、例えば、この巡回型ノイズ低減装置は、シーンチェンジの検出の際にノイズ低減を軽減することによりノイズ量が大きい信号が出力信号に反映されるため、シーンチェンジ後の長期間に渡って画像にノイズが重畳してしまう。その結果、この巡回型ノイズ低減装置は、視聴者にとって見にくい映像を提供してしまうという問題がある。
【０００６】
そこで本発明は、上記問題に鑑みてなされたものであり、視聴者にとって見易い映像を提供することを可能とするノイズ低減装置、表示装置、ノイズ低減方法及びノイズ低減プログラムを提供することを課題とする。
【課題を解決するための手段】
【０００７】
（１）本発明は前記事情に鑑みなされたもので、本発明の一態様は、映像信号と該映像信号に時間差を設けた時間差信号とに基づいて、前記映像信号または前記時間差信号を構成するフレームのうちシーンが切り替わる直前のフレームと直後のフレームのうち少なくとも一つのフレームを検出するシーン切替フレーム検出部と、前記シーン切替フレーム検出部が検出したフレームの少なくとも一つの画像信号に対して、フレーム間に重畳したフレーム間ノイズについてのノイズ低減を弱めるノイズ低減処理部と、を備えることを特徴とするノイズ低減装置である。
【０００８】
（２）本発明の一態様は、上記に記載のノイズ低減装置において、前記シーン切替フレーム検出部は、前記映像信号と前記時間差信号とに基づいて、前記映像信号または前記時間差信号を構成するフレームのうちシーンが切り替わる直前または直後のフレームを検出し、前記ノイズ低減処理部は、前記シーン切替フレーム検出部が検出したシーンが切り替る直前または直後のフレームの画像信号に対して、フレーム間ノイズについてのノイズ低減を弱めることを特徴とする。
【０００９】
（３）本発明の一態様は、上記に記載のノイズ低減装置において、前記時間差信号は、前記映像信号を遅延させた第１の遅延信号であり、前記シーン切替フレーム検出部は、前記映像信号と前記第１の遅延信号とに基づいて、前記映像信号を構成するフレームのうちシーンが切り替わった直後のシーン切替直後フレームを検出し、前記ノイズ低減処理部は、前記シーン切替フレーム検出部が検出したシーン切替直後フレームの画像信号に対して、フレーム間ノイズについてのノイズ低減を弱めることを特徴とする。
【００１０】
（４）本発明の一態様は、上記に記載のノイズ低減装置において、前記シーン切替フレーム検出部は、前記映像信号を前記予め決められた第１のフレーム数だけ遅延させることにより前記第１の遅延信号を生成する遅延部と、前記映像信号と前記遅延部が生成した時間差信号とに基づいて、前記映像信号を構成するフレームから前記シーン切替直後フレームを検出する検出部と、を備えることを特徴とする。
【００１１】
（５）本発明の一態様は、上記に記載のノイズ低減装置において、前記遅延部は、前記映像信号を、前記第１のフレーム数より多い第２のフレーム数だけ遅延させた第２の遅延信号を生成し、前記ノイズ低減処理部は、前記検出部が検出したシーン切替直後フレームに対応するフレームにおける前記第２の遅延信号に対して、フレーム間ノイズについてのノイズ低減を弱めることを特徴とする。
【００１２】
（６）本発明の一態様は、上記に記載のノイズ低減装置において、前記ノイズ低減処理部は、前記検出部が検出したシーン切替直後フレーム以外のフレームに対応するフレームにおける前記第２の遅延信号に対して、前記第１の遅延信号と前記第２の遅延信号とに基づいて、前記第２の遅延信号に対して前記フレーム間ノイズを低減することを特徴とする。
【００１３】
（７）本発明の一態様は、上記に記載のノイズ低減装置において、前記遅延部は、前記映像信号を、前記第２のフレーム数より多い第３のフレーム数だけ遅延させて第３の遅延信号を生成し、前記ノイズ低減処理部は、前記検出部が検出したシーン切替直後フレーム以外のフレームに対応するフレームにおける前記第２の遅延信号に対して、前記第１の遅延信号と前記第２の遅延信号と前記第３の遅延信号とに基づいて、前記フレーム間ノイズを低減することを特徴とする。
【００１４】
（８）本発明の一態様は、上記に記載のノイズ低減装置において、前記検出部は、前記映像信号と前記時間差信号とに基づいて、フレーム毎に前記映像信号と前記時間差信号との間の画素値の差分であるフレーム間差分値を算出するフレーム間差分算出部と、前記フレーム間差分算出部がフレーム毎に算出したフレーム間差分値に基づいて、フレーム毎にシーンが切り替わったか否か判定する判定部と、を備え、前記ノイズ低減処理部は、前記判定部がシーンが切り替わったと判定した場合、該判定された対象フレームに対して前記フレーム間ノイズについてのノイズ低減を弱めることを特徴とする。
【００１５】
（９）本発明の一態様は、上記に記載のノイズ低減装置において、前記判定部がシーンチェンジしたと判定した場合、該判定された対象フレームと該対象フレームの直前のフレームにおいてシーンチェンジを検出した旨を示すシーンチェンジ検出信号を生成する信号生成部を備え、前記ノイズ低減処理部は、前記映像信号を構成するフレームのうち、前記シーンチェンジ検出信号がシーンチェンジを検出した旨を示すフレームに対して、前記フレーム間ノイズについてのノイズ低減を弱めることを特徴とする。
【００１６】
（１０）本発明の一態様は、上記に記載のノイズ低減装置において、前前記時間差信号は、前記映像信号を早めた早期信号であり、前記シーン切替フレーム検出部は、前記映像信号と前記早期信号とに基づいて、前記映像信号または前記早期信号を構成するフレームのうちシーンが切り替わった直前または直後のフレームを検出することを特徴とする。
【００１７】
（１１）本発明の一態様は、上記に記載のノイズ低減装置を備える表示装置である。
【００１８】
（１２）本発明の一態様は、ノイズ低減装置が実行するノイズ低減方法であって、映像信号と該映像信号に時間差を設けた時間差信号とに基づいて、前記映像信号または前記時間差信号を構成するフレームのうちシーンが切り替わる直前のフレームと直後のフレームのうち少なくとも一つを検出するシーン切替フレーム検出手順と、前記シーン切替フレーム検出手順により検出されたフレームの少なくとも一つの画像信号に対して、フレーム間に重畳したフレーム間ノイズについてのノイズ低減を弱めるノイズ低減処理手順と、を有することを特徴とするノイズ低減方法である。
【００１９】
（１３）本発明の一態様は、コンピュータに、映像信号と該映像信号に時間差を設けた時間差信号とに基づいて、前記映像信号または前記時間差信号を構成するフレームのうちシーンが切り替わる直前のフレームと直後のフレームのうち少なくとも一つを検出するシーン切替フレーム検出ステップと、前記シーン切替フレーム検出ステップにより検出されたフレームの少なくとも一つの画像信号に対して、フレーム間に重畳したフレーム間ノイズについてのノイズ低減を弱めるノイズ低減処理ステップと、を実行させるためのノイズ低減プログラムである。
【発明の効果】
【００２０】
本発明によれば、視聴者にとって見易い映像を提供することができる。
【図面の簡単な説明】
【００２１】
【図１】第１の実施形態における表示装置の概略ブロック図である。
【図２】第１の実施形態における液晶表示部の概略ブロック図である。
【図３】第１の実施形態におけるノイズ低減部の構成を示す概略ブロック図である。
【図４】第１の実施形態におけるシーン切替フレーム検出部の構成を示す概略ブロック図である。
【図５】第１の実施形態における検出部の構成を示す概略ブロック図である。
【図６】第１の実施形態におけるシーンチェンジ検出信号Ｃの生成処理を説明するための図である。
【図７】第１の実施形態におけるノイズ低減処理部の構成を示す概略ブロック図である。
【図８】第１の実施形態におけるノイズ低減処理部の処理を説明するための図である。
【図９】第１の実施形態における表示装置の処理の流れを示すフローチャートである。
【図１０】図９のステップＳ１０２におけるシーンチェンジ検出処理の流れを示したフローチャートの一例である。
【図１１】図９のステップＳ１０３におけるノイズ低減処理の流れを示したフローチャートの一例である。
【図１２】第２の実施形態における表示装置の概略ブロック図である。
【図１３】第２の実施形態におけるノイズ低減部の概略ブロック図である。
【図１４】第２の実施形態におけるシーン切替フレーム検出部の概略ブロック図である。
【図１５】第２の実施形態における検出部の構成を示す概略ブロック図である。
【図１６】第２の実施形態におけるシーンチェンジ検出信号Ｃの生成処理を説明するための図である。
【図１７】第２の実施形態におけるノイズ低減処理部の構成を示す概略ブロック図である。
【図１８】第２の実施形態におけるノイズ低減処理部の処理を説明するための図である。
【図１９】第２の実施形態におけるシーン切替フレーム検出部の処理の流れを示したフローチャートの一例である。
【図２０】第２の実施形態におけるノイズ低減処理部の処理の流れを示したフローチャートの一例である。
【図２１】特許文献１に記載の巡回型ノイズ低減装置を用いた場合のノイズ量の時間変化を示した図である。
【図２２】本実施形態におけるノイズ低減部を用いた場合のノイズ量の時間変化を示した図である。
【図２３】第１の変形例の判定部の構成を示す概略ブロック図である。
【図２４】第２の変形例の判定部の構成を示す概略ブロック図である。
【図２５】第１の変形例のノイズ低減処理部の構成を示す概略ブロック図である。
【図２６】第２の変形例のノイズ低減処理部の構成を示す概略ブロック図である。
【発明を実施するための形態】
【００２２】
＜第１の実施形態＞
以下、本発明の実施形態について、図面を参照して詳細に説明する。図１は、第１の実施形態における表示装置１０ａの概略ブロック図である。表示装置１０ａは、受信部１１と、ノイズ低減部１２ａと、画像調整部１３と、タイミング制御部１４と、液晶表示部２０とを備える。液晶表示部２０は、ソースドライバ部１５と、ゲートドライバ部１６と、液晶パネル部１７とを備える。
【００２３】
受信部１１は、一例として、不図示のアンテナから供給されたデジタルテレビジョン放送の複数チャネルの高周波信号を受信する。受信部１１は、受信した信号から希望のチャネルの高周波信号を抽出し、抽出した高周波信号をベースバンドの信号に変換し、変換したベースバンドの信号を所定のサンプリング周波数でデジタル信号へ変換する。
なお、受信部１１は、不図示のアンテナから供給されたアナログテレビジョン放送の複数チャネルの高周波信号を受信して、これをデジタル信号へ変換する機能を有するものであってもよい。
【００２４】
受信部１１は、変換されたデジタル信号からデジタルデータＭＰＥＧ（Ｍｏｖｉｎｇ  Ｐｉｃｔｕｒｅ  Ｅｘｐｅｒｔｓ  Ｇｒｏｕｐ）−２トランスポートストリーム（以下、「ＭＰＥＧ−２ＴＳ」と言う）信号を抽出する。
【００２５】
受信部１１は、ＭＰＥＧ−２ＴＳ信号からＴＳ（Ｔｒａｎｓｐｏｒｔ  Ｓｔｒｅａｍ、トランスポートストリーム）パケットを抽出し、映像信号および音声信号のデータを復号する。以下では、専ら映像信号の処理について説明をし、音声信号の処理については説明を省略する。
受信部１１は、復号した映像信号をインターレース信号からプログレッシブ信号に変換する。そして、受信部１１は、プログレッシブ信号に変換後の映像信号ＳＩＮをノイズ低減部１２ａと映像記憶部処理部２１へ供給する。ここで、映像信号ＳＩＮは、一例として、画像の主走査方向（横方向、水平方向）に隣接して並ぶ画素の輝度信号と、色差信号（Ｃｂ、Ｃｒ）と、水平同期信号ＨＳＹＮＣと、垂直同期信号ＶＳＹＮＣとからなるプログレッシブ信号である。
【００２６】
ノイズ低減部１２ａは、受信部１１から供給された映像信号ＳＩＮを受信する。ノイズ低減部１２ａは、後述する処理によって映像信号ＳＩＮから雑音を低減した雑音低減信号ＳＯＵＴを算出し、その雑音低減信号ＳＯＵＴを画像調整部１３へ供給する。
【００２７】
画像調整部１３は、ノイズ低減部１２ａから供給された雑音低減信号ＳＯＵＴの画素数を、表示部の解像度に合わせて調整するスケーリング処理を行う。画像調整部１３は、スケーリング処理後の映像信号をＲＧＢ信号（Ｒｅｄ、Ｇｒｅｅｎ、Ｂｌｕｅのカラービデオ信号）に変換する。画像調整部１３は、ＲＧＢ信号をタイミング制御部１４と液晶表示部２０内のソースドライバ部１５とへ供給する。
【００２８】
なお、画像調整部１３は、不図示のアンテナから供給されるテレビジョン放送信号がプログレッシブ信号であれば、前述のインターレース信号からプログレッシブ信号への変換をしない。その場合、画像調整部１３は、雑音低減信号ＳＯＵＴの画素数を表示部の解像度に合わせて調整するスケーリング処理を行う。
【００２９】
タイミング制御部１４は、液晶パネル部１７に供給される映像データを平面上の画素に配分するためのクロック信号などを生成する。タイミング制御部１４は、液晶表示部２０内のソースドライバ部１５と、ゲートドライバ部１６へ、生成したクロック信号を供給する。
【００３０】
図２は、第１の実施形態における液晶表示部２０の概略ブロック図である。液晶表示部２０は、一例として、アクティブマトリクス型の表示装置である。液晶表示部２０は、液晶パネル部１７と、ゲート線１８と、ソース線１９と、ゲート線１８を駆動するゲートドライバ部１６と、ソース線１９を駆動するソースドライバ部１５と、を備える。液晶パネル部１７は、ソース線１９とゲート線１８との交差する点に配置された表示素子ＰＩＸ、すなわちマトリクス上に配列した表示素子ＰＩＸを有する。この表示素子PＩＸは、ＴＦＴ（Ｔｈｉｎ  Ｆｉｌｍ  Ｔｒａｎｓｉｓｔｏｒ、薄膜トランジスタ）と、このＴＦＴにより階調度に対応した電圧が供給される液晶の画素素子とから構成されている。
【００３１】
ソースドライバ部１５は、画像調整部１３から供給されたＲＧＢ信号（例えば、ＲＧＢそれぞれの画素値を示すデジタル信号）を、液晶パネル部１７のソース線１９（列方向の配線）ごとに、内部に設けられたホールド回路で保持する。
ソースドライバ部１５は、タイミング制御部１４から供給されたクロック信号を受信すると、画面の縦方向の配列に対して、そのクロック信号に同期して、保持しているＲＧＢ信号から画素素子駆動用に階調化した電圧（ソース信号）を生成し、生成したソース信号を、液晶パネル部１７のソース線１９を介して表示素子PＩＸに供給する。これにより、ソース信号がＴＦＴを介して、液晶の画素素子に供給される。
【００３２】
ゲートドライバ部１６は、タイミング制御部１４から供給されたクロック信号を受信する。ゲートドライバ部１６は、液晶パネル部１７のＴＦＴのゲート線１８を通じて画面のサブ画素の１行分に対して、クロック信号に同期して、所定の走査信号を各ＴＦＴのゲートに供給する。
【００３３】
液晶パネル部１７は、アレイ基板と対向基板と液晶とを備える。アレイ基板上のゲート線とデータ線との交点ごとに、ＴＦＴとＴＦＴのドレイン電極に接続されている画素電極と対向電極（対向基板上のストリップ電極により構成されている）とが１組ずつ配置されて、画素、特にサブ画素を構成している。また、画素電極と対向電極との間には、封入された液晶が存在する。また、液晶パネル部１７は、画素ごとに、３原色ＲＧＢ（Ｒｅｄ、Ｇｒｅｅｎ、Ｂｌｕｅ）に対応する３つのサブ画素（不図示）を有する。液晶パネル部１７は、そのサブ画素毎に１つずつのＴＦＴを有する。これらのサブ画素はそれぞれのスイッチング素子であるＴＦＴ（薄膜トランジスタ）を介してゲート線１８及びソース線１９
ＴＦＴのゲート電極は、ゲートドライバ部１６から供給されたゲート信号を受信して、ゲート信号が例えばハイレベルの時、そのＴＦＴが選択されてオン状態となる。ＴＦＴのソース電極は、ソースドライバ部１５から供給されたソース信号を受信するから、これによって、ＴＦＴのドレイン電極に接続されている画素電極に階調化された電圧が出現する。
【００３４】
その階調化された電圧に応じて、液晶の配向が変化し、これによって液晶の光の透過度が変化する。その階調化された電圧がＴＦＴのドレイン電極に接続されている画素電極と対向電極との間の液晶部分により構成される液晶容量に保持されて、液晶の配向が維持される。また、次の信号がソース電極に到来するまで液晶の配向が維持され、その結果、液晶の光の透過度も維持される。
【００３５】
以上説明したようにして、液晶パネル部１７は、供給された映像データを階調表示する。なお、本実施形態では透過型の液晶パネルについて説明したが、これに限定されず反射型の液晶パネルを用いてもよい。
【００３６】
図３は、第１の実施形態におけるノイズ低減部１２ａの構成を示す概略ブロック図である。ノイズ低減部１２ａは、シーン切替フレーム検出部１と、ノイズ低減処理部２とを備える。
【００３７】
本実施形態において、シーン切替フレーム検出部１は、一例として、映像信号ＳＩＮと、該映像信号ＳＩＮが予め決められた第１のフレーム数だけ遅延した第１の遅延信号とに基づいて、映像信号ＳＩＮからシーンが切り替わった直後のシーン切替直後フレームを検出する。
そして、シーン切替フレーム検出部１は、検出したシーン切替直後フレームに基づいて、シーンチェンジ信号Ｃを生成し、生成したシーンチェンジ信号Ｃをノイズ低減処理部２へ供給する。
【００３８】
本実施形態において、ノイズ低減処理部２は、一例として、シーン切替フレーム検出部１が検出したシーンが切り替わる直後のフレームの画像信号に対して、フレーム間に重畳したフレーム間ノイズについてのノイズ低減を弱める。ここで、一例として、本実施形態におけるノイズ低減を弱めるとは、シーンが切り替わる直後のフレームより前のフレームのノイズ低減量を基準として、そのノイズ低減量より少ない量（０も含む）でノイズ低減することである。
なお、ノイズ低減処理部２は、シーンが切り替わる直後のフレームより後のフレームのノイズ低減量を基準として、そのノイズ低減量より少ない量（０も含む）でノイズ低減してもよい。また、ノイズ低減処理部２は、予め決められた標準のノイズ低減量を基準としてそのノイズ低減量より少ない量（０も含む）でノイズ低減してもよい。  
ノイズ低減処理部２は、ノイズ低減処理後の映像信号を雑音低減信号ＳＯＵＴとして画像調整部１３へ供給する。
【００３９】
図４は、第１の実施形態におけるシーン切替フレーム検出部１の構成を示す概略ブロック図である。シーン切替フレーム検出部１は、第１の遅延部（遅延部）１１０と、検出部１２０とを備える。
【００４０】
第１の遅延部１１０は、受信部１１から供給された映像信号ＳＩＮを予め決められた第１のフレーム数だけ遅延させることにより上述した第１の遅延信号を生成する。また第１の遅延部１１０は、映像信号ＳＩＮを、上述した第１のフレーム数より多い第２のフレーム数だけ遅延させた第２の遅延信号を生成する。ここで、第１の遅延部１１０は、第１の遅延処理部１１１と第２の遅延処理部１１２とを備える。
【００４１】
第１の遅延処理部１１１は、受信部１１０から供給された映像信号ＳＩＮを予め決められた第１のフレーム（本実施形態では、一例として１フレーム）だけ遅延させた第１の遅延信号Ｐ＿１を生成する。そして、第１の遅延部１１０は、生成した第１の遅延信号Ｐ＿１を第２の遅延処理部１１２と検出部１２０とへ供給する。
【００４２】
第２の遅延処理部１１２は、第１の遅延処理部１１１から供給された第１の遅延信号Ｐ＿１を予め決められた第２のフレーム数（本実施形態では、一例として１フレーム）だけ遅延させることにより第２の遅延信号Ｐ＿２を生成する。第２の遅延処理部１１２は、生成した第２の遅延信号Ｐ＿２をノイズ低減処理部２へ供給する。
【００４３】
検出部１２０は、受信部１１から供給された映像信号ＳＩＮと、第１の遅延処理部１１１から供給された第１の遅延信号Ｐ＿１とに基づいて、その映像信号ＳＩＮを構成するフレームからシーン切替直後フレームを検出する。検出部１２０は、検出したシーン切替直後フレームに基づいて、シーンチェンジ検出信号Ｃを生成する。具体的には、例えば、検出部１２０は、映像信号ＳＩＮからシーン切替直後フレームを検出した場合、映像信号ＳＩＮがそのシーン切替直後フレームの次のフレームの画像信号を示す間、シーンチェンジ検出信号Ｃを１とし、それ以外の時間では、シーンチェンジ検出信号Ｃを０とする。
検出部１２０は、生成したシーンチェンジ検出信号Ｃをノイズ低減処理部２へ供給する。
【００４４】
図５は、第１の実施形態における検出部１２０の構成を示す概略ブロック図である。検出部１２０は、フレーム間差分算出部１２１と、判定部１２５とを備える。
フレーム間差分算出部１２１は、受信部１１から供給された映像信号ＳＩＮと第１の遅延処理部１１１から供給された第１の遅延信号Ｐ＿１とに基づいて、フレーム毎に映像信号と第１の遅延信号Ｐ＿１との間の画素値の差分であるフレーム間差分値を算出する。
【００４５】
ここで、フレーム間差分算出部１２１は、差分算出部１２２と、絶対値算出部１２３と、累積加算部１２４とを備える。
差分算出部１２２は、受信部１１から供給された映像信号ＳＩＮから第１の遅延処理部１１１から供給された第１の遅延信号Ｐ＿１を減算し、減算後の値を示す減算後信号を絶対値算出部１２３へ供給する。
【００４６】
絶対値算出部１２３は、差分算出部１２２から供給された減算後信号が示す値の絶対値を算出し、算出した絶対値を示す絶対値信号を累積加算部１２４へ供給する。
累積加算部１２４は、絶対値算出部１２３から供給された絶対値信号が示す絶対値を１フレーム分加算することによりフレーム間差分値を算出する。すなわち、累積加算部１２４は、フレーム毎に、各画素における差分の絶対値を１フレーム内の有効画素にわたって加算を行い、フレーム間差分値を算出する。そして、累積加算部１２４は、算出したフレーム間差分値を示すフレーム間差分信号Ｂを判定部１２５へ供給する。また、累積加算部１２４は、を保持している。
【００４７】
ここで、累積加算部１２４は、第１の加算部１２４＿１と、選択部１２４＿２と、第２の遅延部１２４＿３と、第１の保持部１２４＿４と、垂直同期信号抽出部１２４＿５とを備える。
第１の加算部１２４＿１は、絶対値算出部１２３から供給された絶対値信号と第２の遅延部１２４＿３から入力された累積加算値を示す累積加算信号Ａとを加算し、加算後の信号を選択部１２４＿２へ供給する。
垂直同期信号抽出部１２４＿５は、受信部１１から供給された映像信号ＳＩＮから垂直同期信号ＶＳＹＮＣを抽出し、抽出した垂直同期信号ＶＳＹＮＣを選択部１２４＿２と第１の保持部１２４＿４とへ供給する。
【００４８】
選択部１２４＿２は、垂直同期信号抽出部１２４＿５から供給された垂直同期信号ＶＳＹＮＣが０の間は、第１の加算部１２４＿１から供給された加算後の信号を第２の遅延部１２４＿３へ供給する。ここで、垂直同期信号ＶＳＹＮＣは、垂直帰線区間で１であり、それ以外で０である。すなわち、１フレーム中の画像信号が入力されている間、選択部１２４＿２は、第１の加算部１２４＿１から供給された加算後の信号を第２の遅延部１２４＿３へ供給する。
一方、垂直帰線区間において、選択部１２４＿２に、値が１である垂直同期信号ＶＳＹＮＣが供給された場合、累積加算部１２４が保持している０を示す信号を第２の遅延部１２４＿３へ出力する。これにより、第２の遅延部１２４＿３の出力である累積加算信号Ａがリセットされる。
【００４９】
第２の遅延部１２４＿３は、選択部１２４＿２から供給された信号を、１ピクセルクロックだけ遅延させる。そして、第２の遅延部１２４＿３は、１ピクセルクロックだけ遅延させた信号を、累積加算信号Ａとして、第１の加算部１２４＿１と第１の保持部１２４＿４とへ供給する。
これにより、第１の加算部１２４＿１は、帰線区間でない場合は、絶対値算出部１２３から入力された差分の絶対値に第２の遅延部１２４＿３から入力された１ピクセル前までの累積加算値を加算することによって、累積加算を行う。一方、第１の加算部１２４＿１は、垂直帰線区間において、絶対値算出部１２３から入力された差分の絶対値と遅延部１２４＿３の累積加算信号Ａを加算するが、１２４＿２の選択部は固定値０を選択するので、絶対値算出部１２３の出力は、第２の遅延部１２４＿３の累積加算信号Ａに反映されない。
【００５０】
第１の保持部１２４＿４は、垂直同期信号抽出部１２４＿５から供給された垂直同期信号ＶＳＹＮＣが０から１に遷移する立ち上がりを検出すると、第２の遅延部１２４＿３から供給された累積加算信号Ａを保持する。そして、第１の保持部１２４＿４は、次に垂直同期信号ＶＳＹＮＣが０から１に遷移する立ち上がりを検出するまで、保持した累積加算信号Ａをフレーム間差分信号Ｂとして判定部１２５へ供給する。第１の保持部１２４＿４は、次の垂直同期信号ＶＳＹＮＣが０から１に遷移する立ち上がりを検出するまで、同一のフレーム間差分信号Ｂを判定部１２５へ供給する。第１の保持部１２４＿４は、例えば、Ｄフリップフロップである。
【００５１】
判定部１２５は、フレーム間差分算出部１２１がフレーム毎に算出したフレーム間差分値に基づいて、フレーム毎にシーンが切り替わったか否か判定する。判定部１２５は、判定結果を示す判定結果信号を生成し、生成した判定結果信号をシーンチェンジ検出信号Ｃとしてノイズ低減処理部２へ供給する。また、判定部１２５は、傾きａを示す信号と切片ｂを示す信号とを保持している。
ここで、判定部１２５は、平滑化部１２５＿１と、第１の乗算部１２５＿２と、第２の加算部１２５＿３と、比較部１２５＿４とを備える。
【００５２】
平滑化部１２５＿１は、累積加算部１２４から供給されたフレーム間差分信号Ｂを複数のフレーム区間にわたり平滑化する。具体的には、例えば、平滑化部１２５＿１は、直前のフレームであって、予め決められたフレーム数（例えば、直前の８フレーム）分のフレーム間差分値の平均値を算出する。平滑化部１２５＿１は、平滑化により得られた平滑値を示す平滑信号Ｓｍを第１の乗算部１２５＿２へ供給する。
【００５３】
第１の乗算部１２５＿２は、平滑化部１２５＿１から供給された平滑信号Ｓｍに傾きａを示す信号を乗じ、乗算により得られた乗算後信号を第２の加算部１２５＿３へ供給する。
第２の加算部１２５＿３は、第１の乗算部１２５＿２から供給された乗算後信号に切片ｂを示す信号を加算し、加算により得られた加算後信号を、閾値を示す閾値信号Ｔとして比較部１２５＿４へ供給する。
【００５４】
比較部１２５＿４は、累積加算部１２４から供給されたフレーム間差分信号Ｂと第２の加算部１２５＿３から供給された閾値信号Ｔとを比較し、比較に基づいてシーンチェンジ検出信号Ｃを生成する。具体的には、例えば、比較部１２５＿４は、フレーム間差分信号Ｂが、閾値信号Ｔ以上の場合、シーンチェンジ検出信号Ｃの値を１に設定し、それ以外の場合、シーンチェンジ検出信号Ｃの値を０に設定する。
比較部１２５＿４は、生成したシーンチェンジ検出信号Ｃをノイズ低減処理部２へ供給する。
【００５５】
図６は、第１の実施形態におけるシーンチェンジ検出信号Ｃの生成処理を説明するための図である。同図において、１段目に映像信号ＳＩＮが示す各フレームの画像（Ｇ６１Ａ〜Ｇ６６Ａ）が、出現時間順に向かって左から右に向かって並んでいる。また、２段目に第１の遅延信号Ｐ＿１が示す各フレームの画像（Ｇ６１Ｂ〜Ｇ６６Ｂ）が、出現時間順に向かって左から右に向かって並んでいる。また、３段目には、１段目の映像信号ＳＩＮと２段目の遅延信号Ｐ＿１が与えられた場合の、シーンチェンジ検出信号Ｃの時間変化が示されている。なお、同図の上下方向には、同一の時刻の画像又はシーンチェンジ検出信号Ｃの値が並んでいる。
【００５６】
また、同図において、第１の遅延信号Ｐ＿１を構成する各フレームの画像は、映像信号ＳＩＮの画像が１フレームだけ遅れた画像であることが示されている。具体的には、画像Ｇ６２Ｂは画像Ｇ６１Ａであり、画像Ｇ６３Ｂは、画像Ｇ６２Ａである。また、画像Ｇ６４Ｂは画像Ｇ６３Ａであり、画像Ｇ６５Ｂは、画像Ｇ６４Ａであり、画像Ｇ６６Ｂは、画像Ｇ６５Ａである。
また、シーンチェンジ検出信号Ｃは、映像信号ＳＩＮが示す画像が画像Ｇ６３Ａであるときに１であり、それ以外のときに０であることが示されている。
【００５７】
映像信号ＳＩＮを構成するフレームの画像において、画像Ｇ６１Ａはシーンが切り替わる直前の画像であり、画像Ｇ６２Ａはシーンが切り替わった直後の画像である。
同図において、検出部１２０は、映像信号ＳＩＮのうち画像Ｇ６２Ａを示す信号と、第１の遅延信号Ｐ＿１のうち画像Ｇ６２Ｂを示す信号とに基づいて、映像信号ＳＩＮを構成する画像Ｇ６２Ａのフレームでシーンチェンジしたと判定する。
【００５８】
そして、検出部１２０は、映像信号ＳＩＮが画像Ｇ６３Ａの画像信号を示す直前に、シーンチェンジ検出信号Ｃが示す値を０から１に変更する。次に、検出部１２０は、映像信号ＳＩＮが画像Ｇ６４Ａの画像信号を示す直前に、シーンチェンジ検出信号Ｃが示す値を１から０に変更する。
すなわち、検出部１２０は、シーンが切り替わった直後のフレームの次のフレームにおいて、シーンチェンジ検出信号Ｃが示す値を１に設定し、それ以下のフレームにおいてシーンチェンジ検出信号Ｃが示す値を０に設定する。
【００５９】
図７は、第１の実施形態におけるノイズ低減処理部２の構成を示す概略ブロック図である。ノイズ低減処理部２は、平均算出部２１０と、切替部２２０とを備える。
ノイズ低減処理部２は、検出部１２０により検出されたシーン切替直後フレームに対応するフレームにおける第２の遅延信号に対して、フレーム間ノイズについてのノイズ低減を弱める。
すなわち、ノイズ低減処理部２は、映像信号を構成するフレームのうち、検出部１２０が検出したシーンチェンジ検出信号がシーンチェンジを検出した旨を示すフレームに対して、フレーム間ノイズについてのノイズ低減を弱める。
一方、ノイズ低減処理部２は、検出部１２０により検出されたシーン切替直後フレーム以外のフレームに対応するフレームにおける前記第２の遅延信号に対して、前記第１の遅延信号と前記第２の遅延信号とに基づいて、前記第２の遅延信号に対して前記フレーム間ノイズを低減する。
【００６０】
平均算出部２１０は、第１の遅延部１１０から供給された第１の遅延信号Ｐ＿１と第２の遅延信号Ｐ＿２の平均を示す平均信号Ａｖを生成し、生成した平均信号Ａｖを切替部２２０へ供給する。
【００６１】
切替部２２０は，検出部１２０から供給されたシーンチェンジ検出信号Ｃに基づいて、第２の遅延信号Ｐ＿２のノイズを低減するか否かを切り替える。具体的には、切替部２２０は，検出部１２０から供給されたシーンチェンジ検出信号Ｃに基づいて、第１の遅延部１１０から供給された第２の遅延信号Ｐ＿２と平均算出部２１０から供給された平均信号Ａｖとを切り替える。
例えば、切替部２２０は，シーンチェンジ検出信号Ｃが１の場合、第２の遅延信号Ｐ＿２を選択し、一方、シーンチェンジ検出信号Ｃが０の場合、平均信号Ａｖを選択する。そして、切替部２２０は，選択した信号を雑音低減信号ＳＯＵＴとして画像調整部１３へ供給する。
【００６２】
これにより、ノイズ低減処理部２は、検出部１２０がシーンチェンジと判定した場合には、第２の遅延信号Ｐ＿２に対してノイズを低減させずに、第２の遅延信号Ｐ＿２自体を雑音低減信号ＳＯＵＴとして画像調整部１３へ供給する。一方、ノイズ低減処理部２は、検出部１２０がシーンチェンジでないと判定した場合には、ノイズ低減した平均信号Ａｖを雑音低減信号ＳＯＵＴとして画像調整部１３へ供給する。
その結果、ノイズ低減処理部２は、シーンチェンジ直後のフレームに対しては、シーンチェンジ直前のフレームとの間で信号の平均をとらずに、シーンチェンジ直前の画像信号を出力するので、出力である雑音低減信号ＳＯＵＴが示す画像にシーンチェンジ直後のフレームの画像の残像が残ることを防ぐことができる。
【００６３】
図８を用いて、映像信号ＳＩＮが図６に示された画像を示す場合において、ノイズ低減処理部２の処理を説明する。図８は、第１の実施形態におけるノイズ低減処理部２の処理を説明するための図である。同図において、１段目に第１の遅延信号Ｐ＿１が示す画像（Ｇ８１Ａ〜Ｇ８６Ａ）が、出現時間順に向かって左から右に向かって並んでいる。２段目に第２の遅延信号Ｐ＿２が示す画像（Ｇ８１Ｂ〜Ｇ８６Ｂ）が、出現時間順に向かって左から右に向かって並んでいる。
【００６４】
また、３段目にシーンチェンジ検出信号Ｃの時間変化が示されている。４段目に平均算出部２１０の出力である平均信号Ａｖが示すフレームの画像（Ｇ８１Ｃ〜Ｇ８６Ｃ）が、出現時間順に向かって左から右に向かって並んでいる。５段目に切替部２２０の出力である雑音低減信号ＳＯＵＴが示すフレームの画像（Ｇ８１Ｄ〜Ｇ８６Ｄ）が、出現時間順に向かって左から右に向かって並んでいる。なお、同図の上下方向には、同一の時刻の画像又はシーンチェンジ検出信号Ｃの値が並んでいる。
【００６５】
また、同図において、第２の遅延信号Ｐ＿２が示す画像は、第１の遅延信号Ｐ＿１が示す画像よりも１フレームだけ遅れていることが示されている。また、４段目の平均信号Ａｖが示す画像の各画素値は、第１の遅延信号Ｐ＿１が示す画像を構成する各画素の画素値と、第２の遅延信号Ｐ＿２が示す画像において当該画素に相当する位置の画素の画素値との平均値である。同図の画像Ｇ８３Ｃにおいて、第２の遅延信号Ｐ＿２の画像Ｇ８３Ｂに対して、第１の遅延信号Ｐ＿１の画像Ｇ８３Ａの残像が残っている。
【００６６】
また、シーンチェンジ検出信号が１の場合に、５段目の雑音低減信号ＳＯＵＴが示す画像Ｇ８３Ｄは、第２の遅延信号Ｐ＿２が示す画像である。一方、シーンチェンジ検出信号が０の場合に、５段目の雑音低減信号ＳＯＵＴが示す画像は、平均信号Ａｖが示す画像である。
これにより、ノイズ低減処理部２は、シーンチェンジ前後のフレームの画像の画素値を平均せずに、シーンチェンジ直前のフレームの画像を出力するので、出力である雑音低減信号ＳＯＵＴが示す画像にシーンチェンジ直後の画像の残像が残ることを防ぐことができる。
【００６７】
図９は、第１の実施形態における表示装置１０ａの処理の流れを示したフローチャートである。まず、受信部１１は、アンテナから電波を受信する。受信部１１は、受信した電波を映像信号に変換する（ステップＳ１０１）。受信部１１は、変換した映像信号をノイズ低減部１２ａへ供給する。
【００６８】
次に、ノイズ低減部１２ａのシーン切替フレーム検出部１は、映像信号を構成する各フレームについてシーンチェンジしたか否かを検出する（ステップＳ１０２）。そして、ノイズ低減部１２ａは、検出することにより得られたシーンチェンジ検出信号Ｃをノイズ低減処理部２へ供給する。
次に、ノイズ低減処理部２は、シーンチェンジ検出信号Ｃに基づいて、映像信号ＳＩＮに対しノイズ低減処理を施して雑音低減信号ＳＯＵＴを生成し、生成した雑音低減信号ＳＯＵＴを画像調整部１３へ供給する（ステップＳ１０３）。
【００６９】
次に、画像調整部１３は、ノイズ低減部１２ａから供給されたノイズを低減した輝度信号を受信する。画像調整部１３は、そのノイズを低減した輝度信号をＩ／Ｐ変換する（インターレース信号からプログレッシブ信号への変換を行う）（ステップＳ１０４）。画像調整部１３は、Ｉ／Ｐ変換された信号の画素数を調整する。画像調整部１３は、画素数調整後の調整後信号をタイミング制御部１４と、ソースドライバ部１５とへ供給する。
【００７０】
次に、タイミング制御部１４は、画像調整部１３から供給された調整後信号を受信する。タイミング制御部１４は、その調整後信号を平面上の画素に配分するためのクロック信号を生成する（ステップＳ１０５）。タイミング制御部１４は、ソースドライバ部１５と、ゲートドライバ部１６へ、生成したクロック信号を供給する。
【００７１】
次に、ソースドライバ部１５は、その調整後信号から液晶駆動用の階調化された電圧を生成する（ステップＳ１０６）。ソースドライバ部１５は、ソース線ごとに、その階調化された電圧を、内部のホールド回路で保持する。
次に、ゲートドライバ部１６は、所定の電圧を液晶パネル部１７のＴＦＴのゲート線に供給する（ステップＳ１０７）。
次に、ソースドライバ部１５は、画面の縦方向の配列に対して、クロック信号に同期して、階調化された電圧を液晶パネル部１７のＴＦＴのソース線に供給する（ステップＳ１０８）。
【００７２】
これにより、各ゲート線が選択されている時間内に映像データが、ソース線に順次供給され、必要なデータがＴＦＴを介して画素電極に書き込まれる。これによって、画素電極は、画素電極に掛かる電圧に応じて、対応する液晶の透過率を変更する。これによって、液晶パネル部１７は、映像信号を表示する（ステップＳ１０９）。以上で、本フローチャートの処理を終了する。
【００７３】
図１０は、図９のステップＳ１０２におけるシーンチェンジ検出処理の流れを示したフローチャートの一例である。まず、第１の遅延部１１０は、映像信号ＳＩＮを遅延させ、遅延信号を生成する（ステップＳ２０１）。次に，差分算出部１２２は、映像信号ＳＩＮから遅延信号を差分する（ステップＳ２０２）。次に、絶対値算出部１２３は、差分の絶対値を算出する（ステップＳ２０３）。次に、累積加算部１２４は、１フレームに渡って差分の絶対値を加算することにより、フレーム間差分信号Ｂを生成する（ステップＳ２０４）。次に、累積加算部１２４は、対象フレームの次のフレームの映像信号が入力されている間、対象フレームのフレーム間差分信号Ｂを出力する（ステップＳ２０５）
【００７４】
平滑化部１２５＿１は、一例として直近の近傍数フレームに渡って、フレーム間差分信号Ｂを平滑化することにより平滑信号Ｓｍを生成する（ステップＳ２０６）。次に、判定部１２５は、平滑信号Ｓｍに基づいて、閾値信号Ｔを生成する（ステップＳ２０７）。次に、判定部１２５は、フレーム間差分信号Ｂが、閾値信号Ｔ以上であるか否か判定する（ステップＳ２０８）。フレーム間差分信号Ｂが閾値信号Ｔ以上である場合（ステップＳ２０８  ＹＥＳ）、判定部１２５は、シーンチェンジと判定し（ステップＳ２０９）、値が１を示すシーンチェンジ検出信号Ｃをノイズ低減処理部２へ供給する。フレーム間差分信号Ｂが閾値信号Ｔ未満である場合（ステップＳ２０８  ＮＯ）、判定部１２５は、シーンチェンジしていないと判定し（ステップＳ２１０）、値が０を示すシーンチェンジ検出信号Ｃをノイズ低減処理部２へ供給する。以上で、本フローチャートの処理を終了する。
【００７５】
図１１は、図９のステップＳ１０３におけるノイズ低減処理の流れを示したフローチャートの一例である。まず、平均算出部２１０は、第１の遅延信号Ｐ＿１と第２の遅延信号Ｐ＿２との平均である平均信号Ａｖを生成する（ステップＳ３０１）。次に、切替部２２０は、シーンチェンジ検出信号Ｃがシーンチェンジを示すか否か判定する（ステップＳ３０２）。シーンチェンジ検出信号Ｃがシーンチェンジを示す場合、切替部２２０は、雑音低減信号ＳＯＵＴに第２の遅延信号Ｐ＿２を選択する。一方、シーンチェンジ検出信号Ｃがシーンチェンジを示さない場合、切替部２２０は、雑音低減信号ＳＯＵＴに平均信号Ａｖを選択する。以上で、本フローチャートの処理を終了する。
【００７６】
以上、本実施形態のノイズ低減部１２ａは、映像信号と該映像信号を１フレームだけ遅延させた第１の遅延信号とに基づいて、映像信号からシーンが切り替わった直後のシーン切替直後フレームを検出する。そして、ノイズ低減部１２ａは、検出したシーン切替直後フレームの画像信号に対してフレーム間に重畳したフレーム間ノイズを低減しない。一方、ノイズ低減部１２ａは、シーンが切り替わった直後以外のフレームの画像信号に対しては、各フレームの画像信号と当該フレームの直前のフレームの画像信号と平均をとることにより、フレーム間に重畳したフレーム間ノイズを低減する。
【００７７】
これにより、ノイズ低減部１２ａは、シーン切替直後フレームの画像信号に対しては、シーンが切り替わる直前のフレームとの平均画像を生成せず、シーン切替直後フレームの画像信号をそのまま出力するので、出力である雑音低減信号ＳＯＵＴにシーンが切り替わる直前のフレームの画像の残像が残ることを防ぐことができる。
また、ノイズ低減部１２ａは、シーンが切り替わった直後のフレーム以外のフレームについて、上記平均画像を生成することにより、フレーム間に重畳したフレーム間ノイズを低減する。これにより、ノイズ低減部１２ａは、シーンが切り替わる直後のフレーム以外のフレームの画像に含まれるフレーム間ノイズを低減することができる。
以上により、ノイズ低減部１２ａは、シーンチェンジ前後で映像に残像が残ることを防ぎつつ、シーンチェンジ後の長期間に渡って画像にノイズが重畳することを防ぐことができる。その結果、ノイズ低減部１２ａは、視聴者にとって見易い映像を提供することができる。
【００７８】
なお、本実施形態のノイズ低減部１２ａは、シーン切替直後フレームの画像信号をそのまま出力したが、これに限らず、シーン切替直後フレームの画像信号に対してノイズ低減を弱めてもよい。
【００７９】
＜第２の実施形態＞
続いて、本発明の第２の実施形態について説明する。図１２は、第２の実施形態における表示装置１０ｂの概略ブロック図である。なお、図１と共通する要素には同一の符号を付し、その具体的な説明を省略する。図１２の表示装置１０ｂの構成は、図１の表示装置１０ａの構成に対して、ノイズ低減部１２ａがノイズ低減部１２ｂに変更されたものとなっている。
【００８０】
図１３は、第２の実施形態におけるノイズ低減部１２ｂの概略ブロック図である。図１３のノイズ低減部１２ｂの構成は、図３のノイズ低減部１２ａの構成に対して、シーン切替フレーム検出部１がシーン切替フレーム検出部１ｂに変更され、ノイズ低減処理部２がノイズ低減処理部２ｂに変更されたものとなっている。
【００８１】
図１４は、第２の実施形態におけるシーン切替フレーム検出部１ｂの概略ブロック図である。なお、図４と共通する要素には同一の符号を付し、その具体的な説明を省略する。図１４のシーン切替フレーム検出部１ｂの構成は、図４のシーン切替フレーム検出部１の構成に対して、第１の遅延部１１０が第１の遅延部１１０ｂに、検出部１２０が検出部１２０ｂに変更されたものとなっている。
【００８２】
図１４の第１の遅延部１１０ｂの構成は、図４の第１の遅延部１１０の構成に対して、第２の遅延処理部１１２が第２の遅延処理部１１２ｂに変更され、第３の遅延処理部１１３が追加されたものになっている。
【００８３】
第２の遅延処理部１１２ｂは、第１の遅延処理部１１１から供給された第１の遅延信号Ｐ＿１を予め決められた第２のフレーム数（本実施形態では、一例として１フレーム）だけ遅延させることにより第２の遅延信号Ｐ＿２を生成する。第２の遅延処理部１１２ｂは、生成した第２の遅延信号Ｐ＿２をノイズ低減処理部２ｂと第３の遅延処理部１１３とへ供給する。
【００８４】
第３の遅延処理部１１３は、第２の遅延処理部１１２ｂから供給された第２の遅延信号Ｐ＿２を予め決められた第３のフレーム数（本実施形態では、一例として１フレーム）だけ遅延させることにより第３の遅延信号Ｐ＿３を生成する。すなわち、第１の遅延部１１０ｂは、映像信号ＳＩＮを、第２のフレーム数より多い第３のフレーム数だけ遅延させて第３の遅延信号を生成する。第３の遅延処理部１１３は、生成した第３の遅延信号Ｐ＿３をノイズ低減処理部２ｂへ供給する。
【００８５】
検出部１２０ｂは、受信部１１から供給された映像信号ＳＩＮと、第１の遅延処理部１１１から供給された第１の遅延信号Ｐ＿１とに基づいて、その映像信号ＳＩＮからシーン切替直後フレームを検出する。そして、検出部１２０ｂは、検出したシーン切替直後フレームに基づいて、シーンチェンジ検出信号Ｃを生成する。
具体的には、例えば、検出部１２０ｂは、映像信号ＳＩＮからシーン切替直後フレームを検出した場合、映像信号ＳＩＮがそのシーン切替直後フレームの次のフレームと更にその次のフレームの信号を示す間、シーンチェンジ検出信号Ｃを１とし、それ以外の時間では、シーンチェンジ検出信号Ｃを０とする。
検出部１２０ｂは、生成したシーンチェンジ検出信号Ｃをノイズ低減処理部２ｂへ供給する。
【００８６】
図１５は、第２の実施形態における検出部１２０ｂの構成を示す概略ブロック図である。なお、図５と共通する要素には同一の符号を付し、その具体的な説明を省略する。図１５の検出部１２０ｂの構成は、図５の検出部１２０の構成に対して、信号生成部１２６が追加されたものとなっている。
【００８７】
信号生成部１２６は、判定部１２５から供給された判定結果信号に基づいて、シーンチェンジしたか否かを示すシーンチェンジ検出信号Ｃを生成する。そして、信号生成部１２６は、生成したシーンチェンジ検出信号Ｃをノイズ低減処理部２ｂに供給する。ここで、信号生成部１２６は、第２の保持部１２６＿１と、ＯＲ回路１２６＿２とを備える。
【００８８】
第２の保持部１２６＿１は、判定部１２５から供給された判定結果信号を１フレームに相当する時間、保持する。そして、第２の保持部１２６＿１は、１フレームに相当する時間が経過する毎に、保持した判定結果信号を１フレーム前の判定結果信号として、ＯＲ回路１２６＿２に供給する。第２の保持部１２６＿１は、例えば、Ｄフリップフロップである。
【００８９】
ＯＲ回路１２６＿２は、第２の保持部１２６＿１から供給された１フレーム前の判定結果信号と、判定部１２５から供給された判定結果信号のうちいずれか一つの信号が１を示す場合、シーンチェンジ検出信号Ｃの値を１に設定する。一方、ＯＲ回路１２６＿２は、第２の保持部１２６＿１から供給された１フレーム前の判定結果信号と、判定部１２５から供給された判定結果信号との両方の信号が０を示す場合、シーンチェンジ検出信号Ｃの値を０に設定する。
【００９０】
これにより、信号生成部１２６は、シーンチェンジ直後のフレームを検出した場合、当該シーンチェンジ直後のフレームの次のフレームと当該シーンチェンジ直後のフレームから２フレーム後のフレームにおいて、値が１であるシーンチェンジ検出信号Ｃを生成することができる。
信号生成部１２６は、生成したシーンチェンジ検出信号Ｃをノイズ低減処理部２ｂに供給する。
【００９１】
図１６は、第２の実施形態におけるシーンチェンジ検出信号Ｃの生成処理を説明するための図である。同図にいて、１段目に映像信号ＳＩＮが示す各フレームの画像（Ｇ１６１Ａ〜Ｇ１６６Ａ）が、出現時間順に向かって左から右に向かって並んでいる。また、２段目に第１の遅延信号Ｐ＿１が示す各フレームの画像（Ｇ１６１Ｂ〜Ｇ１６６Ｂ）が、出現時間順に向かって左から右に向かって並んでいる。また、３段目には、１段目の映像信号ＳＩＮと２段目の遅延信号Ｐ＿１を示す場合に、シーンチェンジ検出信号Ｃの時間変化が示されている。なお、同図の上下方向には、同一の時刻の画像が並んでいる。
【００９２】
また、同図において、第１の遅延信号Ｐ＿１を構成する各フレームの画像は、映像信号ＳＩＮを構成する各フレームの画像から１フレームだけ遅れていることが示されている。具体的には、画像Ｇ１６２Ｂは画像Ｇ１６１Ａであり、画像Ｇ１６３Ｂは、画像Ｇ１６２Ａである。また、画像Ｇ１６４Ｂは画像Ｇ１６３Ａであり、画像Ｇ１６５Ｂは、画像Ｇ１６４Ａであり、画像Ｇ１６６Ｂは、画像Ｇ１６５Ａである。
【００９３】
また、シーンチェンジ検出信号Ｃは、映像信号ＳＩＮが画像Ｇ１６３Ａを示す画像信号または画像Ｇ１６４Ａを示す画像信号であるときに１であり、それ以外のときに０であることが示されている。
【００９４】
映像信号ＳＩＮを構成するフレームの画像において、画像Ｇ１６１はシーンが切り替わる直前の画像であり、画像Ｇ１６２はシーンが切り替わった直後の画像である。
検出部１２０ｂは、映像信号ＳＩＮのうち画像Ｇ１６２Ａを示す信号と、第１の遅延信号Ｐ＿１のうち画像Ｇ１６２Ｂを示す信号とに基づいて、映像信号ＳＩＮが示す画像Ｇ１６２Ａのフレームでシーンチェンジしたと判定する。
【００９５】
そして、検出部１２０ｂは、映像信号ＳＩＮが画像Ｇ１６３Ａの画像信号を示し始める直前に、シーンチェンジ検出信号Ｃが示す値を０から１に変更する。次に、検出部１２０ｂは、映像信号ＳＩＮが画像Ｇ１６４５の画像信号を示し始める直前に、シーンチェンジ検出信号Ｃが示す値を１から０に変更する。
すなわち、検出部１２０ｂは、映像信号ＳＩＮがシーン切替直後のフレームの次のフレームの画像信号と当該シーン切替直後のフレームから２フレーム後のフレームの画像信号を示す場合において、シーンチェンジ検出信号Ｃが示す値を１に設定する。
【００９６】
図１７は、第２の実施形態におけるノイズ低減処理部２ｂの構成を示す概略ブロック図である。ノイズ低減処理部２ｂは、最大最小判定部２３１と、ノイズ補正値算出部２３２と、第２の乗算部２３３と、第１の選択部２３４と、第３の加算部２３５と、減算部２３６と、第２の選択部２３７とを備える。
ノイズ低減処理部２ｂは、検出部１２０ｂにより検出されたシーン切替直後フレームに対応するフレームにおける第２の遅延信号に対して、フレーム間ノイズについてのノイズ低減を弱める。
また、ノイズ低減処理部２ｂは、検出部１２０ｂにより検出されたシーン切替直後フレームの以外のフレームに対応するフレームにおける第２の遅延信号に対して、第１の遅延信号と第２の遅延信号と第３の遅延信号とに基づいて、フレーム間ノイズを低減する。
【００９７】
最大最小判定部２３１は、第２の遅延信号Ｐ＿２が第１〜第３の遅延信号（Ｐ＿１〜Ｐ＿３）のうちで最大であるか最小であるか判定する。そして、最大最小判定部２３１は、判定結果を示す判定結果信号Ｒを生成する。具体的には、例えば、最大最小判定部２３１は判定結果信号を２ビット信号とし、最小値の場合“０１”とし、最大値の場合“１０”とし、中央値の場合“００”とする。
最大最小判定部２３１は、生成した判定結果信号Ｒを第２の選択部２３７へ供給する。
【００９８】
ノイズ補正値算出部２３２は、画像のノイズが正規分布を仮定して、第１〜第３の遅延信号（Ｐ＿１〜Ｐ＿３）に基づいて、ノイズの標準偏差値（以下、ノイズ標準偏差値と称す）を推定する。具体的には、例えば、ノイズ補正値算出部２３２は、以下の処理により、ノイズ標準偏差値を推定する。
【００９９】
ノイズ補正値算出部２３２は、第２の遅延信号Ｐ＿２が第１〜第３の遅延信号（Ｐ＿１〜Ｐ＿３）のうちで最大であるか最小である場合、差分値｜Ｐ＿２−（Ｐ＿１＋Ｐ＿３）／２｜を算出し、算出した差分値の頻度を１つ増やす。ノイズ補正値算出部２３２は、上記処理を同一フレームの全ての画素に対して行う。ノイズ補正値算出部２３２は、頻度が最大となる差分値すなわち最頻値を抽出し、最頻値をノイズ標準偏差値に設定する。
ノイズ補正値算出部２３２は、推定したノイズ標準偏差値を示す標準偏差信号Ｅを、第２の乗算部２３３と第１の選択部２３４とへ供給する。
【０１００】
第２の乗算部２３３は、ノイズ補正値算出部２３２から供給された標準偏差信号Ｅに予め決められた定数Ｋ（但し、Ｋは０以上１未満の数）を乗じ、乗算により得られたＫ倍信号Ｆを第１の選択部２３４へ供給する。
【０１０１】
第１の選択部２３４は、検出部１２０ｂから供給されたシーンチェンジ検出信号Ｃに基づいて、ノイズ補正値算出部２３２から供給された標準偏差信号Ｅと第２の乗算部２３３から供給されたＫ倍信号Ｆとのうち一の信号を選択する。具体的には、例えば、第１の選択部２３４は、シーンチェンジ検出信号Ｃが１を示す場合、Ｋ倍信号Ｆを選択し、シーンチェンジ検出信号Ｃが０を示す場合、標準偏差信号Ｅを選択する。
第１の選択部２３４は、選択した一の信号を、ノイズ補正値を示すノイズ補正信号αとして第３の加算部２３５と、減算部２３６とへ供給する。
【０１０２】
これにより、第１の選択部２３４は、シーンチェンジ前後のフレームでない場合、ノイズ補正値にノイズの標準偏差値を選択するので、後述する第２の選択部でノイズの低減を行うことができる。
一方、第１の選択部２３４は、シーンチェンジ前後のフレームの場合、Ｋ倍信号Ｆを選択するので、後述する第２の選択部でノイズの低減を行った際に当該シーンチェンジ前後のフレームのそれぞれの画像に、他方のフレームの画像が移りこむのを防ぐことができる。ここで、他方のフレームの画像が移りこむとは、シーンチェンジ直前のフレームの画像の場合、シーンチェンジ直後のフレームの画像が映りこむことであり、シーンチェンジ直後のフレームの画像の場合、シーンチェンジ直前のフレームの画像が映りこむことである。
【０１０３】
第３の加算部２３５は、第２の遅延信号Ｐ＿２にノイズ補正信号αを加算し、加算により得られた加算信号を第２の選択部２３７へ供給する。
減算部２３６は、第２の遅延信号Ｐ＿２からノイズ補正信号αを減算し、減算により得られた減算信号を第２の選択部２３７へ供給する。
【０１０４】
第２の選択部２３７は、最大最小判定部２３１から供給された判定結果信号Ｒに基づいて、第２の遅延信号Ｐ＿２と第３の加算部２３５から供給された加算信号と減算部２３６から供給された減算信号とのうち一の信号を選択する。
【０１０５】
具体的には、例えば、第２の選択部２３７は、判定結果信号Ｒが最小値を示す場合、加算信号を選択する。一方、一例として、第２の選択部２３７は、判定結果信号Ｒが中央値を示す場合、第２の遅延信号Ｐ＿２と選択する。また、一例として、第２の選択部２３７は、判定結果信号Ｒが最大値を示す場合、減算信号を選択する。
この処理により、第２の選択部２３７は、ノイズによって突出した画素値を周囲の画素値に近づかせるため、結果として画像に含まれるノイズを低減することができる。
第２の選択部２３７は、選択した信号を雑音低減信号ＳＯＵＴとして画像調整部１３へ供給する。
【０１０６】
図１８を用いて、映像信号ＳＩＮが図１６に示された画像を示す場合において、第２の実施形態におけるノイズ低減処理部２ｂの処理を説明する。図１８は、第２の実施形態におけるノイズ低減処理部２ｂの処理を説明するための図である。同図において、１段目に第１の遅延信号Ｐ＿１が示す画像（Ｇ１８１Ａ〜Ｇ１８６Ａ）が、出現時間順に向かって左から右に向かって並んでいる。２段目に第２の遅延信号Ｐ＿２が示す画像（Ｇ１８１Ｂ〜Ｇ１８６Ｂ）が、出現時間順に向かって左から右に向かって並んでいる。３段目に第３の遅延信号Ｐ＿３が示す画像（Ｇ１８１Ｃ〜Ｇ１８６Ｃ）が、出現時間順に向かって左から右に向かって並んでいる。
【０１０７】
また、４段目にシーンチェンジ検出信号Ｃの時間変化が示されている。５段目において、仮にシーンチェンジを検出しなかった場合の雑音低減信号ＳＯＵＴが示すフレームの画像（Ｇ１８１Ｄ〜Ｇ１８６Ｄ）が、出現時間順に向かって左から右に向かって並んでいる。６段目に本実施形態の雑音低減信号ＳＯＵＴが示すフレームの画像（Ｇ１８１Ｅ〜Ｇ１８６Ｅ）が、出現時間順に向かって左から右に向かって並んでいる。なお、同図の上下方向には、同一の時刻の画像が並んでいる。
【０１０８】
同図において、第２の遅延信号Ｐ＿２が示す画像は、第１の遅延信号Ｐ＿１が示す画像よりも１フレームだけ遅れていることが示されている。また、第３の遅延信号Ｐ＿３が示す画像は、第２の遅延信号Ｐ＿２が示す画像よりも更に１フレームだけ遅れていることが示されている。
【０１０９】
また、５段目において、仮にシーンチェンジを検出しなかった場合の雑音低減信号ＳＯＵＴが示す画像の各画素値は、第１の遅延信号Ｐ＿１が示す画像を構成する各画素の画素値と、第２の遅延信号Ｐ＿２が示す画像において当該画素に相当する位置の画素の画素値と、第３の遅延信号Ｐ＿３が示す画像において当該画素に相当する位置の画素の画素値とに対して因果性を持つ値である。それゆえ、同図の画像Ｇ１８３Ｄは、第２の遅延信号Ｐ＿２の画像Ｇ１８３Ｂに対して、第１の遅延信号Ｐ＿１の画像Ｇ１８３Ａの残像が残っている。また同図の画像Ｇ１８４Ｄは、第２の遅延信号Ｐ＿２の画像Ｇ１８４Ｂに対して、第３の遅延信号Ｐ＿３の画像の残像Ｇ１８４Ｃが残っている。
【０１１０】
一方、シーンチェンジ検出信号が１の場合に、６段目における雑音低減信号ＳＯＵＴが示す画像（Ｇ１８３ＥまたはＧ１８４Ｅ）は、第２の遅延信号Ｐ＿２が示す画像である。一方、シーンチェンジ検出信号が０の場合に、６段目における雑音低減信号ＳＯＵＴが示す画像は、第２の選択部によりノイズが低減された画像である。
これにより、ノイズ低減処理部２ｂは、シーンチェンジ前後のフレームの画像に含まれるフレーム間ノイズについてのノイズ低減を弱めるので、雑音低減信号ＳＯＵＴが示す画像にシーンチェンジ前または後の画像の残像が残ることを防ぐことができる。
【０１１１】
第２の実施形態における表示装置１０ｂの処理の流れは、図９に示した第１の実施形態における表示装置１０ａの処理の流れと同一であるので、その説明を省略する。
図１９は、第２の実施形態におけるシーン切替フレーム検出部１ｂの処理の流れを示したフローチャートの一例である。ステップＳ４０１からステップＳ４１０までの処理は、図１０のステップＳ２０１からステップＳ２１０までの処理と同一であるので、その説明を省略する。ステップＳ４１１において、信号生成部１２６は、判定部１２５の判定結果に基づいて、シーンチェンジ検出信号Ｃを生成する（ステップＳ４１１）。以上で、本フローチャートの処理を終了する。
【０１１２】
図２０は、第２の実施形態におけるノイズ低減処理部２ｂの処理の流れを示したフローチャートの一例である。まず、ノイズ補正値算出部２３２は、標準偏差信号Ｅを生成する（ステップＳ５０１）。次に、第２の乗算部２３３は、標準偏差信号Ｅに係数Ｋを乗算し、Ｋ倍信号を生成する（ステップＳ５０２）。次に、第１の選択部２３４は、シーンチェンジ検出信号Ｋがシーンチェンジをした旨を示すか否か判定する（ステップＳ５０３）。
【０１１３】
シーンチェンジ検出信号Ｋがシーンチェンジをした旨を示す場合（ステップＳ５０３  ＹＥＳ）、第１の選択部２３４は、Ｋ倍信号Ｆをノイズ補正信号αに選択する（ステップＳ５０４）。
一方、シーンチェンジ検出信号Ｋがシーンチェンジをしていない旨を示す場合（ステップＳ５０３  ＮＯ）、第１の選択部２３４は、標準偏差信号Ｅをノイズ補正信号αに選択する（ステップＳ５０５）。
【０１１４】
次に、第２の選択部２３７は、第２の遅延信号が最大か否か判定する（ステップＳ５０６）。第２の遅延信号が最大の場合、第２の選択部２３７は、第２の遅延信号からノイズ補正信号αを減算した減算信号を出力する（ステップＳ５０７）。
一方、第２の遅延信号が最大でない場合（ステップＳ５０６  ＮＯ）、第２の選択部２３７は、第２の遅延信号が最小か否か判定する（ステップＳ５０８）。第２の遅延信号が最小である場合（ステップＳ５０８  ＹＥＳ）、第２の選択部２３７は、第２の遅延信号からノイズ補正信号αを加算した加算信号を出力する（ステップＳ５０９）。一方、第２の遅延信号が最小でない場合（ステップＳ５０８  ＮＯ）、第２の選択部２３７は、第２の遅延信号を出力する（ステップＳ５１０）。以上で、本フローチャートの処理を終了する。
【０１１５】
図２１と図２２を用いて、本実施形態におけるノイズ低減部１２ｂのノイズ低減効果について説明する。
図２１は、特許文献１における従来の巡回型ノイズ低減装置を用いた場合のノイズ量の時間変化を示した図である。同図において、１段目に映像信号を構成するフレームの画像が出現時間順に向かって左から右に向かって並んでいる。２段目には、１段目の映像が与えられた場合のノイズ量の時間変化が示されている。ここで、ノイズ量はシーンチェンジ直後にノイズ量がピークをとり、徐々に減衰することが示されている。このように、従来の巡回型ノイズ低減装置では、シーンチェンジした後の多くのフレームにおいてノイズが残っている。
【０１１６】
図２２は、本実施形態におけるノイズ低減部１２ｂを用いた場合のノイズ量の時間変化を示した図である。同図において、図２１と同様に、１段目に映像信号を構成するフレームに画像が出現時間順に向かって左から右に向かって並んでいる。２段目には、１段目の映像が与えられた場合のノイズ量の時間変化が示されている。ここで、シーンチェンジ前後のフレームでノイズ量が多いが、それ以外のフレームではノイズ量が少ないことが示されている。このように、本実施形態におけるノイズ低減部１２ｂは、ノイズ量が多いフレームをシーンチェンジ前後のフレームに限定することができ、シーンチェンジ直後のフレームよりも後のフレームにおいてノイズを低減することができる。
【０１１７】
以上、本実施形態のノイズ低減部１２ｂは、映像信号と、該映像信号を予め決められた第１のフレーム数だけ遅延させた第１の遅延信号とに基づいて、映像信号からシーンが切り替わる直前と直後のフレームを検出する。そして、ノイズ低減部１２ｂは、検出したシーンが切り替わる直前と直後のフレームの画像信号に対して、フレーム間に重畳したフレーム間ノイズについてのノイズ低減を弱める。これにより、ノイズ低減部１２ｂは、シーンチェンジ直前と直後の映像に、それぞれシーンチェン直後の映像またはシーンチェン直前の映像が残像として残ることを防ぐことができる。
【０１１８】
また、ノイズ低減部１２ｂは、シーンが切り替わる直前と直後のフレーム以外のフレームについて、フレーム間に重畳したフレーム間ノイズを低減する。これにより、ノイズ低減部１２ｂは、シーンが切り替わる直前と直後のフレーム以外のフレームについては、ノイズを低減することができる。
以上により、ノイズ低減部１２ｂは、シーンチェンジ前後で映像に残像が残ることを防ぎつつ、シーンチェンジ後の長期間に渡って画像にノイズが重畳することを防ぐことができる。その結果、ノイズ低減部１２ｂは、視聴者にとって見易い映像を提供することができる。
【０１１９】
＜判定部の変形例＞
図２３及び図２４を用いて、本実施形態の判定部の変形例について説明する。
図２３は、第１の変形例の判定部１２５ｂの構成を示す概略ブロック図である。なお、図１５と共通する要素には同一の符号を付し、その具体的な説明を省略する。図２３の判定部１２５ｂの構成は、図１５の判定部１２５の構成に対して、第１の乗算部１２５＿２が第１の乗算部１２５＿２ｂに変更され、第２の加算部１２５＿３が第２の加算部１２５＿３ｂに変更され、比較部１２５＿４が比較部１２５＿４ｂに変更され、第３の選択部１２５＿５と、第４の選択部１２５＿６と第３の保持部１２５＿７とが追加されたものである。
【０１２０】
第３の選択部１２５＿５は、第３の保持部１２５＿７から比較部１２５＿４ｂが直前のフレームに対してシーンチェンジしたか否か判定した判定結果を示す判定結果信号を受け取る。第３の選択部１２５＿５は、第３の保持部１２５＿７から供給された判定結果信号に基づいて、第１の傾きを示す第１の傾き信号ａＬまたは第１の傾き以上である第２の傾きを示す第２の傾き信号ａＨのうちいずれか一つの信号を選択する。
【０１２１】
具体的には、例えば、第３の選択部１２５＿５は、判定結果信号が直前のフレームに対してシーンチェンジしていない旨を示す場合（例えば、判定結果信号が０の場合）、第１の傾き信号ａＬを選択する。一方、第３の選択部１２５＿５は、判定結果信号が直前のフレームに対してシーンチェンジした旨を示す場合（例えば、判定結果信号が１の場合）、第２の傾き信号ａＨを選択する。
第３の選択部１２５＿５は、選択した信号を第１の乗算部１２５＿２ｂへ供給する。
【０１２２】
第４の選択部１２５＿６は、第３の保持部１２５＿７から比較部１２５＿４ｂが直前のフレームに対してシーンチェンジしたか否か判定した判定結果を示す判定結果信号を受け取る。そして、第４の選択部１２５＿６は、第３の保持部１２５＿７から供給された判定結果信号に基づいて、第１の切片を示す第１の切片信号ｂＬまたは第１の切片以上である第２の切片を示す第２の切片信号ｂＨのうちいずれか一つの信号を選択する。
【０１２３】
具体的には、例えば、第４の選択部１２５＿６は、判定結果信号が直前のフレームに対してシーンチェンジしていない旨を示す場合（例えば、判定結果信号が０の場合）、第１の切片信号ｂＬを選択する。一方、第４の選択部１２５＿６は、判定結果信号が直前のフレームに対してシーンチェンジした旨を示す場合（例えば、判定結果信号が１の場合）、第２の切片信号ｂＨを選択する。
第４の選択部１２５＿６は、選択した信号を第２の加算部１２５＿３ｂへ供給する。
【０１２４】
第１の乗算部１２５＿２ｂは、平滑化部１２５＿１から供給された平滑信号Ｓｍに第３の選択部１２５＿５から供給された信号を乗じ、乗算により得られた乗算信号を第２の加算部１２５＿３ｂへ供給する。
第２の加算部１２５＿３ｂは、第１の乗算部１２５＿２ｂから供給された乗算信号に第４の選択部１２５＿６から供給された信号を加算し、加算により得られた閾値信号Ｔを比較部１２５＿４ｂへ供給する。
【０１２５】
比較部１２５＿４ｂは、フレーム間差分算出部１２１から供給されたフレーム間差分信号Ｂが第２の加算部１２５＿３ｂから供給された閾値信号Ｔ以上の場合、判定結果信号を１に設定する。一方、比較部１２５＿４ｂは、フレーム間差分算出部１２１から供給されたフレーム間差分信号Ｂが第２の加算部１２５＿３ｂから供給された閾値信号未満の場合、判定結果信号を０に設定する。
比較部１２５＿４ｂは、設定した判定結果信号を第３の保持部１２５＿７と信号生成部１２６とへ供給する。
【０１２６】
第３の保持部１２５＿７は、不図示のクロック信号の立ち上がりに比較部１２５＿４ｂから供給された判定結果信号を取り込み、取り込んだ判定結果信号を第３の選択部１２５＿５と第４の選択部１２５＿６へ供給する。
そして、第３の保持部１２５＿７は、次のクロック信号の立ち上がりまで、その取り込んだ判定結果信号を第３の選択部１２５＿５と第４の選択部１２５＿６へ供給する。第３の保持部１２５＿７は、例えば、Ｄフリップフロップである。
【０１２７】
これにより、第３の保持部１２５＿７は、判定の対象となる対象フレームについての判定結果信号を、対象フレームの次のフレームの閾値信号Ｔを生成する処理のときに、第３の選択部１２５＿５と第４の選択部１２５＿６へ供給する。
その結果、判定部１２５ｂは、対象フレームの判定結果信号が０の場合、すなわち対象フレームがシーンチェンジしていない場合、対象フレームの次のフレームのときに、係数信号ａＬと係数信号ｂＬを選択する。そして、判定部１２５ｂは、閾値信号として、平滑信号Ｓｍに係数信号ａＬを乗じ、係数信号ｂＬを加算した下閾値信号ＴＬを生成する。これにより、判定部１２５ｂは、対象フレームの次のフレームにおける閾値信号Ｔを、下閾値信号ＴＬに設定する。
【０１２８】
一方、判定部１２５ｂは、対象フレームの判定結果信号が１の場合、すなわち対象フレームがシーンチェンジした場合、対象フレームの次のフレームのときに、係数信号ａＨと係数信号ｂＨを選択する。そして、判定部１２５ｂは、閾値信号として、平滑信号Ｓｍに係数信号ａＨを乗じ、係数信号ｂＨを加算した上閾値信号ＴＨを生成する。これにより、判定部１２５ｂは、対象フレームの次のフレームにおける閾値信号Ｔを、対象フレームの閾値信号Ｔよりも大きくすることができる。
【０１２９】
その結果、シーンチェンジ直後のフレームの次のフレームから固定したカメラの向きを振るパンが始まっても閾値信号Ｔが大きいので、シーンチェンジ直後のフレームの次のフレームにおいて、判定部１２５ｂはシーンチェンジしていないと判定することができる。ゆえに、判定部１２５ｂは、パンを誤ってシーンチェンジと検出することを防ぐことができるので、シーンチェンジしたか否かをより正確に判定することができる。
【０１３０】
図２４は、第２の変形例の判定部１２５ｂの構成を示す概略ブロック図である。なお、図１５と共通する要素には同一の符号を付し、その具体的な説明を省略する。判定部１２５ｂは、比較部１２５＿４ｃと、第３の保持部１２５＿７ｃと、ハイパスフィルタ部１２５＿８と、第５の選択部１２５＿９とを備える。
【０１３１】
ハイパスフィルタ部１２５＿８は、フレーム間差分算出部１２１から供給されたフレーム間差分信号Ｂについて、予め決められたカットオフ周波数以上の高周波数成分を通過させたハイパスフィルタ後の信号を生成し、生成したハイパスフィルタ後の信号を比較部１２５＿４ｃへ供給する。
第５の選択部１２５＿９は、第３の保持部１２５＿７ｃから供給された判定結果信号に基づいて、下閾値信号ＴＬと上閾値信号ＴＨのうち一つの信号を選択する。
【０１３２】
具体的には、例えば、第５の選択部１２５＿９は、判定結果信号がシーンチェンジを示す場合、上閾値信号ＴＨを選択する。一方、第５の選択部１２５＿９は、判定結果信号がシーンチェンジを示さない場合、下閾値信号ＴＬを選択する。
第５の選択部１２５＿９は、選択した信号を閾値信号Ｔとして、比較部１２５＿４ｃへ供給する。
【０１３３】
比較部１２５＿４ｃは、ハイパスフィルタ部１２５＿８から供給されたハイパスフィルタ後の信号が第５の選択部１２５＿９から供給された閾値信号Ｔ以上である場合、対象フレームがシーンチェンジしたと判定し、判定結果信号を１に設定する。
一方、比較部１２５＿４ｃは、ハイパスフィルタ部１２５＿８から供給されたハイパスフィルタ後の信号が第５の選択部１２５＿９から供給された閾値信号Ｔ未満である場合、対象フレームがシーンチェンジしていないと判定し、判定結果信号を０に設定する。
比較部１２５＿４ｃは、設定した判定結果信号を第３の保持部１２５＿７ｃへ供給する。
【０１３４】
第３の保持部１２５＿７ｃは、図２３の第３の保持部１２５＿７と同様に、不図示のクロック信号の立ち上がりに比較部１２５＿４ｃから供給された判定結果信号を取り込み、取り込んだ判定結果信号を第５の選択部１２５＿９へ供給する。
そして、第３の保持部１２５＿７ｃは、次のクロック信号の立ち上がりまで、その取り込んだ判定結果信号を第５の選択部１２５＿９へ供給する。第３の保持部１２５＿７ｃは、例えば、Ｄフリップフロップである。
【０１３５】
これにより、第３の保持部１２５＿７ｃは、判定の対象となる対象フレームについての判定結果信号を、対象フレームの次のフレームの閾値信号Ｔを生成する処理のときに、第５の選択部１２５＿９へ供給する。
【０１３６】
以上により、判定部１２５ｃは、対象フレームの判定結果信号が１の場合、すなわち対象フレームがシーンチェンジした場合、対象フレームの次のフレームのときに、上閾値信号ＴＨを選択する。これにより、判定部１２５ｃは、対象フレームの次のフレームにおける閾値信号Ｔを、対象フレームの閾値信号Ｔよりも大きくすることができる。
【０１３７】
その結果、シーンチェンジ直後のフレームの次のフレームからパンが始まっても閾値信号Ｔが大きいので、シーンチェンジ直後のフレームの次のフレームにおいて、判定部１２５ｃはシーンチェンジしていないと判定することができる。ゆえに、判定部１２５ｃは、パンを誤ってシーンチェンジと検出することを防ぐことができるので、シーンチェンジしたか否かをより正確に判定することができる。
【０１３８】
＜ノイズ低減処理部の変形例＞
図２５及び図２６を用いて、ノイズ低減処理部の変形例について説明する。図２５は、第１の変形例のノイズ低減処理部２ｃの構成を示す概略ブロック図である。ノイズ低減処理部２ｃは、平均化部２４１と、第６の選択部２４４とを備える。
平均化部２４１は、シーン切替フレーム検出部１ｂから供給された第１〜第３の遅延信号（Ｐ＿１〜Ｐ＿３）を平均し、平均した平均信号を第６の選択部２４４へ供給する。ここで、平均化部２４１は、一種の低域通過フィルタである。また、平均化部２４１は、総和算出部２４２と、除算部２４３とを備える。
【０１３９】
総和算出部２４２は、シーン切替フレーム検出部１ｂから供給された第１〜第３の遅延信号の総和を示す総和信号を生成し、生成した総和信号を除算部２４３へ供給する。
除算部２４３は、総和算出部２４２から供給された総和信号を３で割り、割った後の信号を上述した平均信号として第６の選択部２４４へ供給する。
【０１４０】
第６の選択部２４４は、シーンチェンジ検出信号Ｃがシーンチェンジした旨を示す場合、シーン切替フレーム検出部１ｂから供給された第２の遅延信号Ｐ＿２をそのまま雑音低減信号ＳＯＵＴとして画像調整部１３へ供給する。
一方、第６の選択部は、シーンチェンジ検出信号Ｃがシーンチェンジしていない旨を示す場合、平均化部２４１から供給された平均信号を雑音低減信号ＳＯＵＴとして画像調整部１３へ供給する。
【０１４１】
これにより、シーンチェンジ検出信号Ｃがシーンチェンジしていない旨を示す場合、ノイズ低減処理部２ｃは、第１〜第３の遅延信号（Ｐ＿１〜Ｐ＿３）を平均化することにより、ノイズが支配的になっている高周波成分を抑圧することで、視覚上のノイズを低減することができる。
一方、シーンチェンジ検出信号Ｃがシーンチェンジした旨を示す場合、平均化部２４１でノイズが低減されない。そのノイズが低減されない区間は、たかだか２フレームであり、人間の目にはノイズが知覚されにくいので、２フレームの画像にノイズが含まれていたとしても視覚上のノイズは増加しない。
【０１４２】
また、第１の変形例のノイズ低減処理部２ｃは、ノイズ低減のために参照しているのは、基準となる第２の遅延信号Ｐ＿２が示すフレームと、第１の遅延信号Ｐ＿１のフレームと、第３の遅延信号Ｐ＿３のフレームの３つのフレームである。そのため、ノイズ低減処理部２ｃは、出力である雑音低減信号ＳＯＵＴは、原理的にこれら三つ以外のフレームの影響を受けない。
【０１４３】
すなわち、従来の巡回型ノイズ低減装置では、シーンチェンジ直後より後の多くのフレームにおけるノイズ低減処理後の信号に、シーンチェンジ直後のフレームに重畳したノイズに基づくノイズが重畳する。
一方、第１の変形例のノイズ低減処理部２ｃは、有限のフレームを参照しているため、シーンチェンジ直後より後のフレームにおける雑音低減信号ＳＯＵＴに、シーンチェンジ直後のフレームに重畳したノイズに基づくノイズが重畳せず、従来の巡回型ノイズ低減装置よりもノイズ量を低減させることができる。
【０１４４】
図２６は、第２の変形例のノイズ低減処理部２ｄの構成を示す概略ブロック図である。ノイズ低減処理部２ｄは、メディアンフィルタ部２５１と、第７の選択部２５２とを備える。
メディアンフィルタ部２５１は、シーン切替フレーム検出部１ｂから供給された第１〜第３の遅延信号（Ｐ＿１〜Ｐ＿３）に対し、メディアンフィルタを施し、メディアンフィルタ後の信号を生成する。メディアンフィルタ部２５１は、生成したメディアンフィルタ後の信号を第７の選択部へ供給する。
【０１４５】
第７の選択部は、シーン切替フレーム検出部１ｂから供給されたシーンチェンジ検出信号Ｃに基づいて、メディアンフィルタ後の信号と第２の遅延信号Ｐ＿２のうちいずれか一つの信号を選択する。
具体的には、例えば、第７の選択部は、シーンチェンジ検出信号Ｃがシーンチェンジをした旨を示す場合（例えば、シーンチェンジ検出信号Ｃが１を示す場合）、第２の遅延信号Ｐ＿２を選択する。一方、シーンチェンジ検出信号Ｃがシーンチェンジをしていない旨を示す場合（例えば、シーンチェンジ検出信号Ｃが０を示す場合）、メディアンフィルタ後の信号を選択する。
第７の選択部は、選択した信号を雑音低減信号ＳＯＵＴとして画像調整部１３へ供給する。
【０１４６】
なお、本第２の変形例のノイズ低減処理部２ｄでは、メディアンフィルタを用いたがこれに限らず、他のフィルタでもよく、ノイズを低減できればよい。
【０１４７】
また、各実施形態のシーン切替フレーム検出部（１、１ｂ）は、映像信号ＳＩＮと、該映像信号ＳＩＮより予め決められた第１のフレーム数だけ遅延した遅延信号とに基づいて、映像信号ＳＩＮからシーンが切り替わった直後のシーン切替直後フレームを検出したが、これに限ったものではない。
【０１４８】
各実施形態のシーン切替フレーム検出部（１、１ｂ）は、映像信号ＳＩＮと、該映像信号ＳＩＮが予め決められた第１のフレーム数だけ遅延した遅延信号とに基づいて、映像信号ＳＩＮまたは第１の遅延信号を構成するフレームのうちシーンが切り替わった直前または直後のフレームを検出してもよい。
その場合、ノイズ低減処理部（２又は２ｂ）は、シーン切替フレーム検出部が検出したシーンが切り替わった直前または直後のフレームの画像信号に対して、フレーム間に重畳したフレーム間ノイズについてのノイズ低減を弱めればよい。
【０１４９】
また、各実施形態のシーン切替フレーム検出部（１、１ｂ）は、映像信号ＳＩＮと映像信号ＳＩＮを早めた早期信号とに基づいて、映像信号ＳＩＮまたは早期信号を構成するフレームのうちシーンが切り替わった直前または直後のフレームを検出してもよい。
【０１５０】
ここで、第１の遅延信号または早期信号は映像信号ＳＩＮに時間差を設けた時間差信号の一例である。
その観点から、各実施形態のシーン切替フレーム検出部（１、１ｂ）は、映像信号ＳＩＮと、時間差信号とに基づいて、映像信号ＳＩＮまたは時間差信号を構成するフレームのうちシーンが切り替わる直前または直後のフレームを検出してもよい。
その場合、ノイズ低減処理部（２又は２ｂ）は、シーン切替フレーム検出部（１、１ｂ）が検出したシーンが切り替わる直前または直後のフレームの画像信号に対して、フレーム間に重畳したフレーム間ノイズについてのノイズ低減を弱めればよい。
【０１５１】
更に、各実施形態のシーン切替フレーム検出部（１、１ｂ）は、映像信号ＳＩＮと該映像信号ＳＩＮに時間差を設けた時間差信号とに基づいて、映像信号ＳＩＮまたは時間差信号を構成するフレームのうちシーンが切り替わる直前と直後のフレームのうち少なくとも一つのフレームを検出すればよい。
その場合、各実施形態のノイズ低減処理部（２又は２ｂ）は、シーン切替フレーム検出部（１又は１ｂ）が検出したシーンが切り替わる直前と直後のフレームの画像信号のうち少なくとも一つの画像信号に対して、フレーム間に重畳したフレーム間ノイズについてのノイズ低減を弱めればよい。
【０１５２】
なお、各実施形態において、ノイズ低減部（１２ａ又は１２ｂ）を表示装置（１０ａ又は１０ｂ）の一部材として説明したが、これに限らず、ノイズ低減部（１２ａ又は１２ｂ）をノイズ低減装置という一つの単独の装置で実現してもよい。
【０１５３】
また、本実施形態のノイズ低減部（１２ａ又は１２ｂ）の各処理を実行するためのプログラム（ノイズ低減プログラム）をコンピュータ読み取り可能な記録媒体に記録して、当該記録媒体に記録されたプログラムをコンピュータシステムに読み込ませ、実行することにより、ノイズ低減部（１２ａ又は１２ｂ）に係る上述した種々の処理を行ってもよい。
【０１５４】
なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１５５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１５６】
以上、本発明の実施形態について図面を参照して詳述したが、具体的な構成はこの実施形態に限られるものではなく、この発明の要旨を逸脱しない範囲の設計等も含まれる。
【符号の説明】
【０１５７】
１、１ｂ  シーン切替フレーム検出部
２、２ｂ  ノイズ低減処理部
１０ａ、１０ｂ  表示装置
１１  受信部
１２ａ、１２ｂ  ノイズ低減部
１３  画像調整部
１４  タイミング制御部
１５  ソースドライバ部
１６  ゲートドライバ部
１７  液晶パネル部
２０  液晶表示部
１１０  第１の遅延部（遅延部）
１１１  第１の遅延処理部
１１２  第２の遅延処理部
１１３  第３の遅延処理部
１２０、１２０ｂ  検出部
１２１  フレーム間差分算出部
１２２  差分算出部
１２３  絶対値算出部
１２４  累積加算部
１２４＿１  第１の加算部
１２４＿２  選択部
１２４＿３  第２の遅延部
１２４＿４  第１の保持部
１２５、１２５ｃ  判定部
１２５＿１  平滑化部
１２５＿２、１２５＿２ｂ  第１の乗算部
１２５＿３、１２５＿３ｂ  第２の加算部
１２５＿４、１２５＿４ｂ、１２５＿４ｃ  比較部
１２５＿５  第３の選択部
１２５＿６  第４の選択部
１２５＿７、１２５＿７ｃ  第３の保持部
１２５＿８  ハイパスフィルタ部
１２５＿９  第５の選択部
１２６  信号生成部
１２６＿１  第２の保持部
１２６＿２  ＯＲ回路
２１０  平均算出部
２２０  切替部
２３１  最大最小判定部
２３２  ノイズ補正値算出部
２３３  第２の乗算部
２３４  第１の選択部
２３５  第３の加算部
２３６  減算部
２３７  第２の選択部
２４１  平均化部
２４２  総和算出部
２４３  除算部
２４４  第６の選択部
２５１  メディアンフィルタ部
２５２  第７の選択部
【図１】
2015019120.tif 000003
【図２】
2015019120.tif 000004
【図３】
2015019120.tif 000005
【図４】
2015019120.tif 000006
【図５】
2015019120.tif 000007
【図７】
2015019120.tif 000008
【図９】
2015019120.tif 000009
【図１０】
2015019120.tif 000010
【図１１】
2015019120.tif 000011
【図１２】
2015019120.tif 000012
【図１３】
2015019120.tif 000013
【図１４】
2015019120.tif 000014
【図１５】
2015019120.tif 000015
【図１７】
2015019120.tif 000016
【図１９】
2015019120.tif 000017
【図２０】
2015019120.tif 000018
【図２３】
2015019120.tif 000019
【図２４】
2015019120.tif 000020
【図２５】
2015019120.tif 000021
【図２６】
2015019120.tif 000022
【図６】
2015019120.tif 000023
【図８】
2015019120.tif 000024
【図１６】
2015019120.tif 000025
【図１８】
2015019120.tif 000026
【図２１】
2015019120.tif 000027
【図２２】
2015019120.tif 000028